(57)【要約】【課題】本発明は、選択的に起倒できるマウスを提供することを目的とする。【解決手段】本発明に係るマウスは、互いに連接される弧形曲面及び底面を有するハウジングと、前記ハウジングの内部に固定される平衡部品と、を備える。前記マウスを支持体に横置した場合、前記弧形曲面と前記底面とが連接する箇所に支持部を形成し、前記平衡部品は前記マウスの重心を前記支持体に直交し且つ前記支持部を通過する分界面と前記弧形曲面から離れている前記ハウジングの一端との間に位置させる。【選択図】図５
2010250804.tif 000002
【特許請求の範囲】
【請求項１】
互いに連接される弧形曲面及び底面を有するハウジングと、
前記ハウジングの内部に固定される平衡部品と、を備えてなるマウスであって、
前記マウスを支持体に横置した場合、前記弧形曲面と前記底面とが連接する箇所に支持部を形成し、前記平衡部品は前記マウスの重心を前記支持体に直交し且つ前記支持部を通過する分界面と前記弧形曲面から離れている前記ハウジングの一端との間に位置させることを特徴とするマウス。
【請求項２】
前記ハウジングによって収容部が形成され、前記弧形曲面に近接する前記収容部の内側壁に前記平衡部品を固定する少なくとも１つの保持部が形成されていることを特徴とする請求項１に記載のマウス。
【請求項３】
前記ハウジングによって収容部が形成され、前記平衡部品は前記弧形曲面に近接する前記収容部の内側壁に粘着剤によって固定されることを特徴とする請求項１に記載のマウス。
【請求項４】
一側に操作部が設置されている上ハウジングと、
前記上ハウジングに係合して前記上ハウジングと一緒に弧形曲面を形成し、該弧形曲面に連接する底面を有する下ハウジングと、
前記上ハウジング又は前記下ハウジングの内部に固定される平衡部品と、を備えてなるマウスであって、
前記マウスを支持体に横置した場合、前記弧形曲面と前記底面とが連接する箇所に支持部を形成し、前記平衡部品は前記マウスの重心を前記支持体に直交し且つ前記支持部を通過する分界面と前記操作部との間に位置させることを特徴とするマウス。
【請求項５】
少なくとも１つのハウジングと、
前記ハウジングの内部に固定される平衡部品と、を備えてなるマウスであって、
前記マウスが支持体に直立された場合、前記マウスは前記支持体で揺動でき、
前記マウスが支持体に横置された場合、外力を印加しなければ、前記マウスは横置状態を維持することを特徴とする記載のマウス。
【請求項６】
前記ハウジングの一側には、操作部が設置され、前記ハウジングの他側に弧形曲面が形成され、
前記マウスを支持体に横置した場合、前記ハウジングは前記支持体と接触する支持部を有し、前記平衡部品は前記マウスの重心を前記支持体に直交し且つ前記支持部を通過する分界面と前記操作部との間に位置させることを特徴とする請求項５に記載のマウス。
【発明の詳細な説明】
【技術分野】
【０００１】
本発明は、マウスに関し、特に直立できるマウスに関するものである。
【背景技術】
【０００２】
科学技術の発展に伴って、コンピュータが広く用いられている。マウスはコンピュータの入力工具として、マウスでコンピュータを便利に操作することができる。マウスでコンピュータを操作する時、机のような支持体の上に位置するマウスを移動させて、コンピュータの表示部の指針を制御する。電子製品の不断な更新によって、電子製品に対する消費者の要求も不断に高まっている。従来のマウスは、外形が単調で、機能も単一であるので、消費者の高い要求を満足し難い。
【発明の概要】
【発明が解決しようとする課題】
【０００３】
以上の問題点に鑑みて、本発明は、選択的に起倒できるマウスを提供することを目的とする。
【課題を解決するための手段】
【０００４】
前記問題を解決するために、本発明に係るマウスは、互いに連接される弧形曲面及び底面を有するハウジングと、前記ハウジングの内部に固定される平衡部品と、を備える。前記マウスを支持体に横置した場合、前記弧形曲面と前記底面とが連接する箇所に支持部を形成し、前記平衡部品は前記マウスの重心を前記支持体に垂直し且つ前記支持部を経過する分界面と前記弧形曲面から離れている前記ハウジングの一端との間に位置させる。
【０００５】
また、本発明に係るマウスは、一側に操作部が設置されている上ハウジングと、前記上ハウジングに係合して前記上ハウジングと一緒に弧形曲面を形成し、該弧形曲面に連接する底面を有する下ハウジングと、前記上ハウジング又は前記下ハウジングの内部に固定される平衡部品と、を備える。前記マウスを支持体に横置した場合、前記弧形曲面と前記底面とが連接する箇所に支持部を形成し、前記平衡部品は前記マウスの重心を前記支持体に垂直し且つ前記支持部を経過する分界面と前記操作部との間に位置させる。
【０００６】
また、本発明に係るマウスは、少なくとも１つのハウジングと、前記ハウジングの内部に固定される平衡部品と、を備える。前記マウスが支持体に直立された場合、前記マウスは前記支持体で揺動でき、前記マウスが支持体に横置された場合、外力を印加しなければ、前記マウスは横置状態を維持する。
【発明の効果】
【０００７】
本発明に係るマウスにおいて、前記マウスを使用しない場合、前記マウスを支持体に不倒翁のように直立させ且つ揺動させることができるので、前記マウスは加飾品として工作環境を美化するばかりではなく、工作興味も強める。前記マウスを使用する場合、前記マウスを前記支持体に横置してコンピュータの入力工具として使用でき、前記マウスから手を離しても前記マウスが自動的に直立しない。
【図面の簡単な説明】
【０００８】
【図１】本発明に係るマウスの分解図である。
【図２】本発明に係るマウスの組立図である。
【図３】図２に示すマウスの局部断面図である。
【図４】図２に示すマウスを水平に放置した側面図である。
【図５】図２に示すマウスを垂直に放置した側面図である。
【発明を実施するための形態】
【０００９】
以下、図面に基づいて、本発明の実施例に係るマウスについて詳細に説明する。本実施例において、コンピュータに用いられる無線マウスを代表として説明する。
【００１０】
図１乃至図３を参照すると、本実施例のマウス１００は、上ハウジング１０と、下ハウジング３０と、平衡部品５０と、を備える。
【００１１】
前記上ハウジング１０の一端には、上弧形曲面１２が形成されており、前記上ハウジング１０の他端には、押しボタン１４及びロール１６が設置されている。前記押しボタン１４は、コンピュータに操作メニューを表示し、且つ対応する指令を選択する機能を有し、前記ロール１６は、ページを移動させる機能を有する。
【００１２】
前記下ハウジング３０は、底面３２と、前記底面３２に連接される下弧形曲面３４と、を備える。前記底面３２及び前記下弧形曲面３４が囲んで収容部３８を形成する。前記下弧形曲面３４に近接する前記収容部３８の内側壁には、２つの板状の保持部３９が対向して設置される。前記収容部３８の内部には、光学装置、電気回路板及び平衡部品５０などが収容される。前記２つの保持部３９は、前記平衡部品５０を挟んで前記収容部３８の内部に固定させる。
【００１３】
図１、図４及び図５を参照すると、前記平衡部品５０は、金属からなる。前記平衡部品５０の重さは、前記マウス１００が直立した場合、不倒翁のように揺動され、前記マウス１００の底面３２を支持体９０に接触させた場合、外力を印加しななければ、前記マウス１００は自動的に直立できないことを確保することを必要とする。
【００１４】
前記平衡部品５０は、端面５２及び前記端面５２に対向する円弧面５４を備える。前記円弧面５４の曲率は、前記上弧形曲面１２及び前記下弧形曲面３４の曲率と大体同じである。
【００１５】
前記マウス１００を組立てる場合、先ず、前記平衡部品５０の端面５２を前記保持部３９に当接してから、前記平衡部品５０の円弧面５４が前記下ハウジング３０の下弧形曲面３４の内表面に密着されるように、前記平衡部品５０を前記下ハウジング３０に装着する。次に、前記上ハウジング１０を前記下ハウジング３０に係合して、前記平衡部品５０を前記上ハウジング１０と前記下ハウジング３０との間の空間に固定する。
【００１６】
図４を参照すると、前記マウス１００を前記支持体９０に横置した場合、前記底面３２が前記支持体９０に当接し、前記底面３２と前記下弧形曲面３４とが連接する箇所に支持部３２２が形成される。前記マウス１００は、前記底面３２に直交し且つ前記支持部３２２を通過する分界面４０によって第一部分６０と第二部分８０とに分かれる。前記マウス１００の重心７０は、前記第一部分６０に位置するため、前記マウス１００は自動的に直立することができない。
【００１７】
図５を参照すると、前記マウス１００が外力の作用下で前記支持部３２２を回転軸として直立し且つ平衡を保持する場合、前記上ハウジング１０の上弧形曲面１２と前記支持体９０との間に接触点１２２が形成される。前記重心７０と前記接触点１２２との間の距離は、前記重心７０と前記上弧形曲面１２及び前記下弧形曲面３４の他の任意点との間の距離より短いため、前記マウス１００は前記支持体９０の上で前記接触点１２２を中心として不倒翁のように揺動することができる。
【００１８】
前記平衡部品５０を粘着剤で前記下ハウジング３０の内部に固着する場合、前記２つの保持部３９を省略することができる。
【００１９】
前記上ハウジング１０及び前記下ハウジング３０を１つのハウジングとする場合、前記上弧形曲面１２及び前記下弧形曲面３４が１つの弧形曲面を形成し、前記接触点１２２は前記弧形曲面に形成され、前記１つのハウジングには、光学装置、電気回路板及び平衡部品を装着するための開口部が開設され、前記開口部は、蓋板に覆われる。
【００２０】
本発明に係るマウスは有線型マウスであってもよい。
【００２１】
本発明に係るマウス１００において、前記マウス１００を使用しない場合、前記マウス１００を支持体９０に不倒翁のように直立させ且つ揺動させることができるので、前記マウス１００は加飾品として工作環境を美化するばかりではなく、工作興味も強める。前記マウス１００を使用する場合、前記マウス１００を前記支持体９０に横置してコンピュータの入力工具として使用でき、前記マウス１００から手を離しても前記マウス１００が自動的に直立できない。
【００２２】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００２３】
１００  マウス
１０  上ハウジング
１２  上弧形曲面
１２２  接触点
１４  押しボタン
１６  ロール
３０  下ハウジング
３２  底面
３２２  支持部
３４  下弧形曲面
３８  収容部
３９  保持部
４０  分界面
５０  平衡部品
５２  端面
５４  円弧面
６０  第一部分
７０  重心
８０  第二部分
９０  支持体
【図１】
2010250804.tif 000003
【図２】
2010250804.tif 000004
【図３】
2010250804.tif 000005
【図４】
2010250804.tif 000006
【図５】
2010250804.tif 000007